(57)【特許請求の範囲】
【請求項１】
シート状部材に形成された開口を、起倒動可能とされたカバーにより開閉するカバーユニットであって、
前記カバーの基端部に、前記シート状部材の開口周縁部表面上に配置する第１取付け板部が起倒動可能に設けられ、
前記第１取付け板部に、前記シート状部材の裏側に配置されて該シート状部材の開口周縁部を該第１取付け板部と協働して挟持状態とするための第２取付け板部が設けられ、
前記第１取付け板部、前記カバーの少なくともいずれか一方に、該カバーの倒伏状態を着脱可能に保持する係止部が設けられている、
ことを特徴とするカバーユニット。
【請求項２】
請求項１において、
前記カバーが、倒伏状態にあるとき、前記第１，第２取付け板部を覆うように設定されている、
ことを特徴とするカバーユニット。
【請求項３】
請求項２において、
前記第２取付け板部が、前記第１取付け板部の側部から該第１取付け板部に対して対向配置を取り得るように延びて、該第１取付け板部と該第２取付け板部とが前記開口側縁部を挟持するように設定されている、
ことを特徴とするカバーユニット。
【請求項４】
請求項３において、
前記シート状部材が、前記開口の側方に隣り合うようにして取付け孔を有するものとされ、
前記第１取付け板部又は前記第２取付け板部の一方に、前記取付け孔に通すための係合爪部が設けられ、
前記第１取付け板部又は前記第２取付け板部の他方に、前記係合爪部を係合させるための係合孔が形成されている、
ことを特徴とするカバーユニット。
【請求項５】
請求項１において、
前記カバーに係止爪部が設けられ、
前記第１取付け板部に、前記係止爪部に係止するための係止突起部が設けられている、
ことを特徴とするカバーユニット。
【請求項６】
請求項１において、
前記カバーの基端部と前記第１取付け板部との間に、肉厚が薄板状とされた薄肉部が介在されて、該薄肉部が、該カバーが倒伏状態にあるときに湾曲するように設定されている、
ことを特徴とするカバーユニット。
【請求項７】
請求項１において、
前記カバーが、前記シート状部材の開口が長孔であることに伴い、長尺とされ、
前記カバーの基端部に、該カバーの長手方向において、前記第１取付け板部が複数設けられている、
ことを特徴とするカバーユニット。
【請求項８】
シート状部材に形成された開口が、起倒動可能とされたカバーにより開閉されるカバー取付け構造において、
前記カバーの基端部に第１取付け板部が延出した状態で起倒動可能に設けられていると共に、該第１取付け板部に、該第１取付け板部に対向配置を取り得る第２取付け板部が設けられ、
前記第１取付け板部と前記第２取付け板部とが、該第１取付け板部を前記シート状部材の開口周縁部表面側に配置した状態で該開口周縁部を挟持するように配置され、
前記第１取付け板部、前記カバーの少なくともいずれか一方に、該カバーの倒伏状態を着脱可能に保持する係止部が設けられている、
ことを特徴とするカバーの取付け構造。
【発明の詳細な説明】
【技術分野】
【０００１】
本発明は、カバーユニット及びカバー取付け構造に関する。
【背景技術】
【０００２】
シート状部材に形成される開口を覆うカバー構造としては、特許文献１に示すように、そのシート状部材自体に扉状に切り起こし部を形成し、その切り起こし部の起倒動をもってシート状部材の開口（切り起こし部を起立させたとき表れる開口）を開閉するようにしたものが知られている。さらに近時においては、前記切り起こし部を、その切り起こし部よりも大きめのカバーに差し込み保持し、カバーと切り起こし部とで一体的にシート状部材の開口を開閉するものも提案されている。
【特許文献１】特開２０００−１０８７５２号公報
【発明の開示】
【発明が解決しようとする課題】
【０００３】
しかし、上記構造においては、切り起こし部が、自由に起倒動できることから、経時的に、反り、よじれ、ねじれ等の変形を起こし易く、その変形が生じているときには、その切り起こし部にカバーが取付けられていても、切り起こし部及びカバーが、シート部材の開口を確実に閉じることが困難となることがある。
この場合、カバー内面に、切り起こし部が存在しない個所において、フック＆ループ等の貼着具を取付け、カバー内面をシート状部材に貼着することにより、強制的にカバーを倒伏状態とすることが考えられるが、切り起こし部の反り等の変形が大きくて、その変形力が貼着具の貼着力に勝るときには、カバー及び切り起こし部は、浮き上がり、前記同様、シート部材の開口を確実に閉じることが困難となる。しかも、貼着具は、シート状部材の材質（繊維以外からなるもの）によってはシート状部材に貼着することができず、さらには、貼着具という別部品の取付けが別途必要となる問題点を有している。
【０００４】
本発明は以上のような事情に鑑みてなされたもので、その第１の技術的課題は、シート状部材に形成される開口を適正に閉じることができる簡易なカバーユニットを提供することにある。
第２の技術的課題は、シート状部材に形成される開口を適正に閉じることができる簡易なカバーの取付け構造を提供することにある。
【課題を解決するための手段】
【０００５】
前記第１の技術的課題を達成するために本発明（請求項１に係る発明）にあっては、
シート状部材に形成された開口を、起倒動可能とされたカバーにより開閉するカバーユニットであって、
前記カバーの基端部に、前記シート状部材の開口周縁部表面上に配置する第１取付け板部が起倒動可能に設けられ、
前記第１取付け板部に、前記シート状部材の裏側に配置されて該シート状部材の開口周縁部を該第１取付け板部と協働して挟持状態とするための第２取付け板部が設けられ、
前記第１取付け板部、前記カバーの少なくともいずれか一方に、該カバーの倒伏状態を着脱可能に保持する係止部が設けられている構成としてある。この請求項１の好ましい態様として請求項２〜７の記載の通りとなる。
【０００６】
前記第２の技術的課題を達成するために本発明（請求項８に係る発明）にあっては、
シート状部材に形成された開口が、起倒動可能とされたカバーにより開閉されるカバー取付け構造において、
前記カバーの基端部に第１取付け板部が延出した状態で起倒動可能に設けられていると共に、該第１取付け板部に、該第１取付け板部に対向配置を取り得る第２取付け板部が設けられ、
前記第１取付け板部と前記第２取付け板部とが、該第１取付け板部を前記シート状部材の開口周縁部表面側に配置した状態で該開口周縁部を挟持するように配置され、
前記第１取付け板部、前記カバーの少なくともいずれか一方に、該カバーの倒伏状態を着脱可能に保持する係止部が設けられている構成としてある。
【発明の効果】
【０００７】
請求項１に記載された発明によれば、当該カバーユニットを用いて、反り、よじれ、ねじれ等の変形がしにくいシート状部材の開口周縁部を、第１取付け板部と第２取付け板部とをもって挟持すると共に、カバーの倒伏時には、そのうちの第１取付け板部にカバーを係止関係をもって保持することから、カバーに対して、反り、よじれ、ねじれ等の変形の影響を与えることをなくすことができると共に、カバーの倒伏状態を、該カバーと該第１取付け板部との係止関係により的確に保持できる。これにより、シート状部材に形成される開口を適正に閉じることができる簡易なカバーユニットを提供できる。
【０００８】
請求項２に記載された発明によれば、カバーが、倒伏状態にあるとき、第１，第２取付け板部を覆うように設定されていることから、シート状部材の開口をカバーにより閉じた状態において、第１，第２取付け板部も表れないようにすることができ、見栄えの向上を図ることもできる。
【０００９】
請求項３に記載された発明によれば、第２取付け板部が、第１取付け板部の側部から該第１取付け板部に対して対向配置を取り得るように延びて、該第１取付け板部と該第２取付け板部とが開口側縁部を挟持するように設定されていることから、第１，第２取付け板部を覆うために、それら独自の長さをカバーの大きさ設定に考慮する必要がなくなり、カバーの幅を小さなものにできる。
【００１０】
請求項４に記載された発明によれば、シート状部材が、開口の側方に隣り合うようにして取付け孔を有するものとされ、第１取付け板部又は第２取付け板部の一方に、取付け孔に通すための係合爪部が設けられ、第１取付け板部又は第２取付け板部の他方に、係合爪部を係合させるための係合孔が形成されていることから、その両者の係合関係により、第１取付け板部と第２取付け板部とによる挟持状態を長期に亘って安定して保持できる。
【００１１】
請求項５に記載された発明によれば、カバーに係止爪部が設けられ、第１取付け板部に、係止爪部に係止するための係止突起部が設けられていることから、シート状部材の材質の如何に関わらず、その両者の係止関係により、カバーの倒伏状態の保持を的確に実現できる。
【００１２】
請求項６に記載された発明によれば、カバーの基端部と第１取付け板部との間に、肉厚が薄板状とされた薄肉部が介在されて、該薄肉部が、該カバーが倒伏状態にあるときに湾曲するように設定されていることから、第１取付け板部に対するカバーの係止関係（倒伏状態の保持）を解除さえすれば、薄肉部の付勢力に基づき、カバーが起立方向に揺動され、シート状部材の開口は開いた状態にできる。このため、シート状部材の開口を開いた状態に維持するために手でカバーを支える必要はなくなり、作業性を高めることができる。
【００１３】
請求項７に記載された発明によれば、カバーが、シート状部材の開口が長孔であることに伴い、長尺とされ、カバーの基端部に、該カバー部材の長手方向において、第１取付け板部が複数設けられていることから、カバーが長尺である場合において、そのカバーの倒伏状態の保持、起倒動を的確に行うことができる。
【００１４】
請求項８に記載された発明によれば、当該カバー取付け構造を用いることにより、前記請求項１の場合と同様の作用効果を得ることができる。
【発明を実施するための最良の形態】
【００１５】
以下、本発明の実施形態について図面に基づいて説明する。
図１，図２において、符号１は、車両のフロアに敷設されたシート状部材としてのフロアカーペットである。このフロアカーペット１には、運転席側であって車幅方向外側において、比較的長めの長方形状(帯状）の開口２が形成されており、その開口２を通じて、フロアに表示された当該車両の車台番号(図示略）を確認できることになっている。フロアカーペット１には、さらに開口２の長手方向両側外方にスリット状の取付け孔３が形成されており、その各取付け孔３と開口２との間には帯状のカーペット部分１ａが存在している。
【００１６】
前記フロアカーペット１には、図１、図２に示すように、本実施形態に係るカバー取付け構造を実現すべく、合成樹脂により一体成形されたカバーユニット４が取付けられている。そのカバーユニット４は、前記開口２等を開閉すべく、カバー５を備えている。カバー５は、前記フロアカーペット１の開口２、一対の取付け孔３等に対応して、平面視帯状（長方形）に形成されており、このカバー５は、幅方向においても、長手方向においても、開口２の該当方向に対して十分大きく形成されている。このため、カバー５により開口２を覆ったときには、そのカバー５内に開口２等が収まることになる。
【００１７】
このカバー５の内面側周縁部には、図１〜図４、図６、図７に示すように、周壁６が突設され、その周壁６によりカバー５の内面側には空間が区画されている。但し、このカバー５の基端側には、その長手方向両側において、部分的に周壁６が存在しない個所が設けられ、また、このカバー５の起立端側(先端側）には、その長手方向両側において、周壁６を利用して、後述の係止突起部１１に係止するための係止爪部７が形成されている。
また、このカバー５の内面には、一対の位置決め用突部８が突設されている。この一対の突部８は、カバー５の長手方向両側であって、幅方向中央よりもカバー５の基端側寄りに位置されており、本実施形態においては、その形状は、平面視Ｔ字形状に形成されている。
【００１８】
前記カバーユニット４は、図１〜図４、図６、図７に示すように、カバー５の長手方向両側であってカバー５の基端部(周壁６が存在しない個所）において、薄肉部９をそれぞれ備えている。この各薄肉部９は、その板面を、周壁６が存在しない範囲に亘って拡げつつ、カバー５の基端部から多少、延出されている。この各薄肉部９は、カバー５の肉厚よりも薄くなっており、この薄肉部９は、曲げることにより湾曲してある程度の反発力を発生することになっている。
【００１９】
前記カバーユニット４は、図１〜図４に示すように、一対の第１取付け板部１０を備えている。各第１取付け板部１０は、前記各薄肉部９に連続して延出されており、その幅（カバー５の長手方向における長さ）は、その延び方向内方側において、薄肉部の幅（カバー５の長手方向における長さ）より短くされているものの、その延び方向両側においては、薄肉部９の幅と同一幅とされている。この各第１取付け板部１０は、開口２の長手方向外側における開口側縁部、すなわちカーペット部分１ａの表面上にそれぞれ配置されており、その各第１取付け板部１０の幅方向内方側側部が開口２に臨み、その各第１取付け板部１０の幅方向外方側側部が取付け孔３に臨んでいる。
【００２０】
前記各第１取付け板部１０には、図１〜図４、図６、図７に示すように、その先端において係止突起部１１が設けられていると共に、その係止突起部１１の背後において、その係止突起部１１を含む先端部が撓むことを許容する撓み許容孔１２が形成されている。このため、カバー５を、薄肉部９を湾曲させて第１取付け板部１０の内面に倒伏させたときには、各係止突起部１１が前記カバー５の各係止爪部７に円滑に係止される（図６，図７参照）。
【００２１】
前記各第１取付け板部１０の幅方向外方側側部には、図２，図３，図５に示すように、後述の係合孔１９に係合させるための係合爪部１３が設けられている。この係合爪部１３は、第１取付け板部１０の裏面側外方の向けて突出しており、その爪部１３ａは第１取付け板部１０の幅方向外方に向けられている。この各第１取付け板部１０には、係合爪部１３の両隣において、ガイド板１４がそれぞれ設けられている。この一対のガイド板１４と係合爪部１３とは、細幅状態をもって第１取付け板部１０の延び方向に並設されており、それに基づき、一対のガイド板１４と係合爪部１３とは、第１取付け板部１０がカーペット部分１ａ表面に配置されている状態において、取付け孔３を通ってフロアカーペット１の裏面側に入り込んでいる。
【００２２】
前記各第１取付け板部１０には、図１〜図４、図６、図７に示すように、前記位置決め用突部８が進入するための位置決め孔１５がそれぞれ形成されている。この各位置決め孔１５は、第１取付け板部１０に、カバー５の正規の倒伏動に伴う各位置決め用突部８の移動領域において開口されており、正規の状態でカバー５が第１取付け板部１０に対して倒伏したときには、各突部８は、各位置決め孔１５に入り込むことになっている。これにより、前述の係止突起部１１と係止爪部７とを的確な状態で係止させることができると共に、各位置決め孔１５に各突部８が入り込んだ後において、カバー５が各第１取付け板部１０に対して相対的に移動することが規制されることになる。尚、各位置決め孔１５の開口周縁部は、上方に向かうに従って開口が拡がるように形成されて、カバー５の倒伏動に伴って各突部８が位置決め孔１５内に入り込み易くされている。
【００２３】
前記カバーユニット４は、図２、図４、図５に示すように、垂下部１６及び薄肉部１７を備えている。垂下部１６は、各第１取付け板部１０の幅方向内方側側部から該各第１取付け板部１０の裏面側外方に向けて垂下している。この垂下部１６の垂下量は、フロアカーペットの厚み程度とされており、このとき、垂下部１６の幅（第１取付け板部１０の延び方向における長さ）は、第１取付け板部１０の延び方向において比較的広くされている。薄肉部１７は、垂下部１６と同じ幅を保持しつつ、該垂下部１６の先端部側面から連続して設けられており、その薄肉部１７は、前記薄肉部９同様、肉厚を薄くして、曲げることに伴って湾曲することになっている。
【００２４】
前記カバーユニット４は、図２〜図７に示すように、第２取付け板部１８を備えている。第２取付け板部１８は、前記各薄肉部１７に連続してそれぞれ設けられており、その各第２取付け板部１８は、薄肉部１７の幅と同じ幅をもって延びている。この各第２取付け板部１８は、薄肉部１７を湾曲させて、各第１取付け板部１０に対して対向配置が採り得るようになっており、これに基づき、各第２取付け板部１８は、開口２を通って、その開口２の長手方向両側における開口側縁部（カーペット部分１ａ）の裏面側に入り込み、その先端側は各取付け孔３を横切ることになっている。この各第２取付け板部１８には係合孔１９が形成されており、その各係合孔１９は、フロアカーペット１の裏面側において、各取付け孔３に臨んでいる。この各係合孔１９には、前記各取付け孔３を通過した係合爪部１３がそれぞれ係合されており、これにより、カバー５の長手方向両側において、第１取付け板部１０と第２取付け板部１８とによるカーペット部分１ａの挟持状態が保持され、カバー５は、それら介してフロアカーペット１に取付けられたことになる。この場合、係合孔１９と係合爪部１３との係合を的確に行うため、フロア２０に対する第２取付け板部１８の対向面２１に一対の突条２２が係合孔１９を挟むようにして設けられて、その対向面２１とフロア２０との間に空間２３が確保されることになっている(図５参照）。
【００２５】
このようなカバーユニット４４を取付けたカバー５取付け構造においては、車台番号を確認すべく、開口２を外部に開く場合には、カバー５の起立端側を手で持ち上げ、カバー５の係止爪部７と第１取付け板部１０との係止関係を解除する。これにより、カバー５は、薄肉部９の反発力に基づき、図１に示すように、起立動することになり、開口は外部に開かれ、車台番号の確認が可能となる。このとき、薄肉部９の反発力がカバー５を起立させているため、車台番号確認に際して、カバー５を手で支える必要はない。
【００２６】
一方、開口２をカバー５により閉じる場合には、カバー５を倒伏動させ、カバー５の係止爪部７と第１取付け板部１０の係止突起部１１とを係止させる。これにより、第１取付け板部１０に対するカバー５の倒伏状態が保持されることになり、開口２は、カバー５により閉じられる。このとき、カバー５は、開口２だけでなく、両第１取付け板部１０も覆うことになり、カバー５以外の要素が外部に表れることはない。
【００２７】
したがって、このようなカバー５取付け構造においては、反り、よじれ、ねじれ等の変形がしにくいフロアカーペット１の開口２の周縁部を、第１取付け板部１０及び第２取付け板部１８をもって挟持すると共に、カバー５の倒伏時には、そのうちの第１取付け板部１０にカバー５を係止関係をもって保持することから、カバー５に対して、反り、よじれ、ねじれ等の変形の影響を与えることをなくすことができると共に、カバー５の倒伏状態を、カバー５と第１取付け板部１０との係止関係により的確に保持できる。これにより、カバー５をもって開口２を適正に閉じることができることになる。
【００２８】
しかもこの場合、カバー５が、倒伏状態にあるとき、第１取付け板部１０を覆うように設定されていることから、フロアカーペット１の開口２をカバー５により閉じた状態において、第１取付け板部１０も表れないようにすることができ、見栄えの向上を図ることもできる。
【００２９】
また、第１取付け板部１０と第２取付け板部１８とが開口側縁部（カーペット部分１ａ）を挟持するように設定されていることから、第１取付け板部１０を覆うために、それら独自の長さをカバー５の大きさ設定に考慮する必要がなくなり、カバー５の幅を小さなものにできる。
【００３０】
さらには、第１取付け板部１０に対するカバー５の係止関係（倒伏状態の保持）を解除さえすれば、薄肉部９の付勢力に基づき、カバー５が起立方向に起立動することになり、カバー５を起立させた状態（開口２を外部に開いた状態）に維持できることになる。このため、開口２を外部に開いた状態に維持するために手でカバー５を支える必要はなくなり、車台番号確認の作業性を高めることができる。
【００３１】
上記実施形態においては、フロアカーペット１の開口２がフロア(車台番号）に臨んでいたが、開口２が収納容器等の穴に臨むようにしてもよい。また、実施形態形態では、シート状部材としてフロアカーペット１を用いているが、そのシート状部材として硬質のものを用いてもよい。
【００３２】
尚、本発明の目的は、明記されたものに限らず、実質的に好ましい或いは利点として載されたものに対応したものを提供することをも含むものである。
【図面の簡単な説明】
【００３３】
【図１】実施形態に係るカバー取付け構造を示す斜視図。
【図２】実施形態に係るカバーユニットの取付けを示す取付け説明図。
【図３】実施形態に係るカバーユニットの長手方向一方側を右斜め上方側から見た拡大斜視図。
【図４】実施形態に係るカバーユニットの長手方向一方側を左斜め上方側から見た拡大斜視図。
【図５】図１のＡ−Ａ線拡大断面図。
【図６】図１のＢ−Ｂ線拡大断面図。
【図７】図６からの動作状態図。
【符号の説明】
【００３４】
１  フロアカーペット
１ａ  カーペット部分(開口側縁部）
２  開口
３  取付け孔
４  カバーユニット
５  カバー
７  係止爪部(係止部）
９  薄肉部
１０  第１取付け板部
１１  係止突起部(係止部）
１３  係合爪部
１８  第２取付け板部
１９  係合孔
【図１】
0004593407.tif 000002
【図２】
0004593407.tif 000003
【図３】
0004593407.tif 000004
【図４】
0004593407.tif 000005
【図５】
0004593407.tif 000006
【図６】
0004593407.tif 000007
【図７】
0004593407.tif 000008